(57)【特許請求の範囲】
【請求項１】
長手方向に３個の器具取付手段を備えた細長の器具取付用の窓孔を有する取付枠と、短幅方向の外形寸法が上記窓孔の長手方向の略３分の１に形成され、取付枠の中央部の上記器具取付手段に取付けられる押釦スイッチの器体と、窓孔に対向し長手方向の寸法が上記窓孔より細長の開口を有するプレートと、このプレートの開口の略全部を閉塞する大きさに形成され、中央を上記器体の中央に対向させて上記プレートの開口内に配置される１個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは一端部が回動自在に押釦スイッチの外部で枢支されて裏面を押釦ハンドルの頭部に当接させて成ることを特徴とするピアノハンドル式片切スイッチ装置。
【請求項２】
長手方向に３個の器具取付手段を備えた細長の器具取付用の窓孔を有する取付枠と、短幅方向の外形寸法が上記窓孔の長手方向の略３分の１に形成され、中間に隙間を存在させて上記取付枠の上端及び下端側の上記器具取付手段に取付けられる２個の押釦スイッチの器体と、窓孔に対向し長手方向の寸法が上記窓孔より細長の開口を有するプレートと、各々上記プレートの開口を２分する大きさに形成され、各々の中央を上記器体の中央に対向させて上記プレートの開口内に配置される２個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成ることを特徴とするピアノハンドル式片切スイッチ装置。
【請求項３】
長手方向に３個の器具取付手段を備えた細長の器具取付用の窓孔を有する取付枠と、短幅方向の外形寸法が上記窓孔の長手方向の略３分の１に形成され、上記取付枠の上端、中央及び下端側の上記器具取付手段に取付けられる３個の押釦スイッチの器体と、窓孔に対向し長手方向の寸法が上記窓孔より細長の開口を有するプレートと、各々同一外形で上記プレートの開口の長手方向に沿う方向の寸法が開口の長手方向の略３分の１の寸法で、開口の短幅方向に沿う方向の寸法が開口の短幅方向と略同じ寸法に形成され各々の中央を器体の中央に対向させて上記プレートの開口内に配置される３個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成し、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成ることを特徴とするピアノハンドル式片切スイッチ装置。
【請求項４】
上記位置表示手段は、上記器体両端部の速結端子に各々電気的に接続する一対の接触子と、該接触子間に流れる電流で点灯する表示灯と、該表示灯に流れる電流を制限する抵抗体と、これら接触子、表示灯並びに抵抗体が実装される回路基板とを具備して成り、上記状態表示手段は、上記器体内に収納されて接点部に流れる電流を検出する電流検出手段と、該電流検出手段の出力に基づいて発光する発光素子と、発光素子が実装されて上記器体内に収納される上記回路基板とを具備して成り、器体前面に設けた透光窓を通して上記表示灯及び発光素子の光を外部へ導いて位置表示並びに状態表示を行う表示部を上記ピアノハンドルに設けたことを特徴とする請求項１又は２又は３記載のピアノハンドル式片切スイッチ装置。
【請求項５】
上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とする請求項１又は２又は３記載のピアノハンドル式片切スイッチ装置。
【請求項６】
上記位置表示手段は、上記器体両端部の速結端子に各々電気的に接続する一対の接触子と、該接触子間に流れる電流で点灯する表示灯と、該表示灯に流れる電流を制限する抵抗体と、先端部に接触子の基部をかしめ固定する固定片がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とする請求項１又は２又は３記載のピアノハンドル式片切スイッチ装置。
【請求項７】
上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備し、上記接触子の少なくとも一方の端部を速結端子の端子板にレーザ溶接して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とする請求項１又は２又は３記載のピアノハンドル式片切スイッチ装置。
【発明の詳細な説明】
【０００１】
【発明の属する技術分野】
本発明は、ピアノタッチ操作で片切の接点部の接点開閉を行うピアノハンドル式片切スイッチ装置に関するものである。
【０００２】
【従来の技術】
従来、住宅等において照明器具などの負荷をオン、オフするスイッチとして、電源と負荷との間に接続された単極の接点を開閉する単極スイッチ、いわゆる片切スイッチが広く用いられている。
【０００３】
【発明が解決しようとする課題】
ところで、従来の片切スイッチは器体に対して中央で揺動自在に支持された操作ハンドルを波動させて接点を開閉する波動スイッチが一般的であった。しかしながら、従来の波動スイッチは器体に対して操作ハンドルの寸法が小さいために操作性が良くないという問題や、操作ハンドルを見ただけでは接点部の開閉状態（負荷の動作状態）が判りづらいという問題、さらに周囲が暗い場合にスイッチの位置が判りづらいという問題がある。
【０００４】
また、従来共通接点を一対の切換接点に択一的に切り換える３路タイプのスイッチ（３路スイッチ）は接点部分以外の構成が片切スイッチとほとんど共通であるため、３路スイッチを片切スイッチとして用いることが行われている。しかしながら、３路スイッチを片切スイッチに兼用すると、３路スイッチが備える２つの切換接点側の端子のうちで何れに負荷を接続すればよいか判りづらいという問題があった。
【０００５】
請求項１〜７の発明は上記問題に鑑みて為されたものであり、その目的とするところは、操作性が良好であり、負荷の動作状態が判りやすく且つ周囲が暗い場合でも位置が判りやすく、また、負荷の接続に迷うことが無く且つ製造コストの削減が図れるピアノハンドル式片切スイッチ装置を提供することにある。
【０００７】
【課題を解決するための手段】
請求項１の発明は、上記目的を達成するために、長手方向に３個の器具取付手段を備えた細長の器具取付用の窓孔を有する取付枠と、短幅方向の外形寸法が上記窓孔の長手方向の略３分の１に形成され、取付枠の中央部の上記器具取付手段に取付けられる押釦スイッチの器体と、窓孔に対向し長手方向の寸法が上記窓孔より細長の開口を有するプレートと、このプレートの開口の略全部を閉塞する大きさに形成され、中央を上記器体の中央に対向させて上記プレートの開口内に配置される１個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは一端部が回動自在に押釦スイッチの外部で枢支されて裏面を押釦ハンドルの頭部に当接させて成ることを特徴とし、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、１個の押釦スイッチの器体が取付枠の中央部の器具取付手段に取り付けられ、プレートの開口内に配置される１個のピアノハンドルの中央を器体の中央に対向させているから、２個用、３個用と同じ共通仕様の取付枠、プレート、押釦スイッチを使用することができるものであるにもかかわらず、１個の押釦スイッチを取付枠の中央にバランス良く配設するとともに１個の大きな形状のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【０００８】
請求項２の発明は、上記目的を達成するために、長手方向に３個の器具取付手段を備えた細長の器具取付用の窓孔を有する取付枠と、短幅方向の外形寸法が上記窓孔の長手方向の略３分の１に形成され、中間に隙間を存在させて上記取付枠の上端及び下端側の上記器具取付手段に取付けられる２個の押釦スイッチの器体と、窓孔に対向し長手方向の寸法が上記窓孔より細長の開口を有するプレートと、各々上記プレートの開口を２分する大きさに形成され、各々の中央を上記器体の中央に対向させて上記プレートの開口内に配置される２個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成ることを特徴とし、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、２個の押釦スイッチの各器体を中間に隙間を存在させて取付枠の上端側及び下端側に取り付け、各々プレートの開口を２分する大きさに形成された２個のピアノハンドルの各々の中央を２個の器体の中央にそれぞれ対向させてプレートの開口内に配置しているから、２個の押釦スイッチを取付枠の上下にバランス良く配設するとともに２個のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【０００９】
請求項３の発明は、上記目的を達成するために、長手方向に３個の器具取付手段を備えた細長の器具取付用の窓孔を有する取付枠と、短幅方向の外形寸法が上記窓孔の長手方向の略３分の１に形成され、上記取付枠の上端、中央及び下端側の上記器具取付手段に取付けられる３個の押釦スイッチの器体と、窓孔に対向し長手方向の寸法が上記窓孔より細長の開口を有するプレートと、各々同一外形で上記プレートの開口の長手方向に沿う方向の寸法が開口の長手方向の略３分の１の寸法で、開口の短幅方向に沿う方向の寸法が開口の短幅方向と略同じ寸法に形成され各々の中央を器体の中央に対向させて上記プレートの開口内に配置される３個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成し、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成ることを特徴とし、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、３個の押釦スイッチの器体を取付枠の上端、中央及び下端に取り付け、各々同一外形でプレートの開口の長手方向に沿う方向が開口の長手方向の略３分の１の寸法で、開口の短幅方向に沿う方向が開口の短幅方向と略同じ寸法に形成された３個のピアノハンドルの各々の中央を３個の各器体の中央に対向させてプレートの開口内に配置しているから、３個の押釦スイッチを取付枠の上端、中央及び下端にバランス良く配設するとともに３個のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【００１０】
請求項４の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、これら接触子、表示灯並びに抵抗体が実装される回路基板とを具備して成り、上記状態表示手段は、上記器体内に収納されて接点部に流れる電流を検出する電流検出手段と、該電流検出手段の出力に基づいて発光する発光素子と、発光素子が実装されて上記器体内に収納される上記回路基板とを具備して成り、器体前面に設けた透光窓を通して上記表示灯及び発光素子の光を外部へ導いて位置表示並びに状態表示を行う表示部を上記ピアノハンドルに設けたことを特徴とし、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【００１１】
請求項５の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とし、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。しかも、接触子を成形体にインサート成形しているため、回路基板に接触子を実装する場合に比較して製造時の作業効率を向上させることができる。
【００１２】
請求項６の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、先端部に接触子の基部をかしめ固定する固定片がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とし、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【００１３】
請求項７の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備し、上記接触子の少なくとも一方の端部を速結端子の端子板にレーザ溶接して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたことを特徴とし、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【００１７】
【発明の実施の形態】
以下、本発明を実施形態により説明する。
【００１８】
（参考例１）
図１〜図１８を参照して本発明に関連した参考例１を詳細に説明する。本参考例のピアノハンドル式片切スイッチ装置は、図１１に示すように、押釦ハンドル３２の押圧操作により接点部の接点切換が行われる押釦スイッチ５Ａと、この押釦スイッチ５Ａの上面に一端部が回動自在に枢支され他端部を押圧して押釦ハンドル３２を押圧操作するピアノハンドル４３と、長手方向に３個の器具取付手段を備えた細長の器具取付用の窓孔２ａを有する取付枠２と、窓孔２ａに対向し長手方向の寸法が窓孔２ａより細長の開口を有するプレート（プレート枠１２０及び化粧プレート１３０）とからなる。ここでまず、押釦スイッチ５Ａ並びにピアノハンドル４３の基本構造を説明する。
【００１９】
押釦スイッチ５Ａの器体は、図１〜図７に示すように合成樹脂製のボディ５ｂとカバー５ａとで形成されており、この器体の短幅方向の寸法が既製の埋込型の配線器具用の取付枠２が有する窓孔２ａの長手方向寸法の略３分の１の寸法（この寸法を「１個モジュール寸法」と呼ぶ。）に形成してある。そして、押釦スイッチ５Ａの表面側の部材であるカバー５ａには、取付枠２の窓孔２ａに着脱自在に取付可能とするために、両端面に一対の係止爪１１，１１を夫々突設してあり、一方の係止爪１１の背部には空所１２を形成し、係止爪１１が背方へ弾性的に撓むようにしてある。したがって、既製の配線器具用の取付枠２が具備する係止孔２ｂ，２ｂに係止爪１１，１１を係止させて押釦スイッチ５Ａを着脱自在に取り付けることができ、既製の埋込型の配線器具と同様にして壁面などの造営面に埋設できるようにしてある。ボディ５ｂとカバー５ａの結合はカバー５ａより垂下した係止片３の係止孔４にボディ５ｂの側面に形成してある係止突起６を係止させることにより行なっており、係止時には係止片３の弾性と係止突起６の上端の傾斜面６ａを利用して簡単に係止ができるようになっている。
【００２０】
図１に示すように、この押釦スイッチ５Ａのボディ５ｂ内の一端部に接続端子収納部１３を形成し、また、他端部に接続端子収納部１４を形成し、更に中央部に背方に突出して接続端子収納部１３，１４よりも深い中央収納部２３を形成してある。ここで、一方の接続端子収納部１３には端子板１５と鎖錠ばね１６，１６及び解除釦１７からなる一対の速結端子が収納される。また、他方の接続端子収納部１４にも端子板１８と鎖錠ばね１９，１９及び解除釦２１からなる一対の速結端子が収納される。
【００２１】
中央収納部２３の周部にはリブ状の台部２３ａが形成され、台部２３ａの上には中枠５６の四隅に設けた鍔部５６ｂが載置される。つまり、中央収納部２３は中枠５６により上下に仕切られる。この中枠５６の下面側には電流トランスＣＴを収納してある。電流トランスＣＴからは１次側及び２次側の各一対のリードＬ１〜Ｌ４が突出されている。これらのリードＬ１〜Ｌ４には可撓性を有する絶縁材料により円筒状に形成された保護チューブＴが被嵌され、中枠５６の略中央部に設けた溝５６ｃ，５６ｃから前方（図３における上方）へ引き出されている。そして、電流トランスＣＴの１次側の片方のリードＬ１が接続端子収納部１３に収納された端子板１５に接続され、もう片方のリードＬ２が中枠５６の載置部５６ｄに載置された略Ｌ字形の支持板１５ａの一端部に接続される。また、電流トランスＣＴの２次側のリードＬ３，Ｌ４は後述するプリント基板２６に接続されている。このプリント基板２６は表面に導電パターンが形成されるとともに発光素子たる発光ダイオードＬＤと整流用のダイオードＤが実装されている。而して、電流トランスＣＴと、発光ダイオードＬＤ及びダイオードＤとで接点部１００の開閉状態（負荷の動作状態）を表示する状態表示手段を構成している。
【００２２】
図３及び図４に示すようにボディ５ｂの接続端子収納部１３の底部にはボディ５ｂ底面に開口し且つ接続端子収納部１３と連通する一対の電線挿入口１３ａ，１３ａ並びに解除釦１７を押し駆動する工具を挿入するための解除孔１３ｂとが設けられ、ボディ５ｂの接続端子収納部１４の底部にはボディ５ｂ底面に開口し且つ接続端子収納部１４と連通する一対の電線挿入口１４ａ，１４ａ並びに解除釦２１を押し駆動する工具を挿入するための解除孔１４ｂとが設けられている。
【００２３】
鎖錠ばね１６，１９は、弾性を有する導電材料の帯板の両端部を曲成して中央片１６ｃ，１９ｃの両端部に鎖錠片１６ａ，１９ａ及び接触片１６ｂ，１９ｂが形成されている。鎖錠片１６ａ，１９ａは中央片１６ｃ，１９ｃとの連結部位から先端縁に向かって、端子板１５の脚片１５ｂ及び端子板１８の脚片１８ｂに近づく向きに傾斜し、接触片１６ｂ，１９ｂは略Ｓ字形に曲成されている。また、中央片１６ｃ，１９ｃは略平板状に形成されていて端子板１５，１８の当接片１５ｃ，１８ｃに当接する。而して、鎖錠ばね１６，１９の鎖錠片１６ａ，１９ａ及び接触片１６ｂ，１９ｂと端子板１５，１８の脚片１５ｂ，１８ｂとの間に、ボディ５ｂの底部に設けた電線挿入口１３ａ，１４ａを通して外部から電線が挿入されると、鎖錠片１６ａ，１９ａの先端が電線の芯線に食い込んで抜け止めがなされるとともに、鎖錠片１６ａ，１９ａ及び接触片１６ｂ，１９ｂによって電線の芯線が脚片１５ｂ，１８ｂに圧接されることにより、電線の芯線と端子板１５，１８との導通（接続）が図られる。また、解除釦１７，２１はユリア樹脂のような熱硬化性樹脂にて形成され、下部を解除孔１３ｂ，１４ｂに臨ませてボディ５ｂの各接続端子収納部１３，１４に収納される。而して、外部から解除孔１３ｂ，１４ｂを通して挿入するドライバ等の工具の先端で解除釦１７，２１を押操作すれば、両側面に突設した押圧片で鎖錠ばね１６，１９の鎖錠片１６ａ，１９ａを圧接解除方向に撓ませ、鎖錠片１６ａ，１９ａの先端を電線の芯線から引き離して端子板１５，１８と電線との接続を解除することができる。
【００２４】
端子板１８には固定接点２５が固着された延設片１８ａを形成してあり、この延設片１８ａを中央収納部２３側に延出して、中央収納部２３内に固定接点２５を位置させている。また導電板からなる開閉体２４が中央収納部２３内に収められ、両端下部に設けた突部２８を中央収納部２３の側壁及び中枠５６に設けたＶ状凹部２７にはめ込んで下端縁が上記支持板１５ａに接した状態でＶ状凹部２７の下部を中心に回動自在となっている。図１に示すように開閉体２４の上部の縁設片１８ａと対向する面には可動接点２９が設けてある。そして、開閉体２４の回動に応じて可動接点２９を固定接点２５に接離して、端子板１５と端子板１８との間の接続、切離を行う。
【００２５】
本参考例においては上記のように固定接点２５と可動接点２９とで片切の接点部１００を構成している。上記接点部１００の切り換えを行なうための開閉体２４は、コイルスプリング３０、反転ハンドル３１、押釦ハンドル３２、スライドカム３３、復帰ばね３７で構成された反転機構により反転駆動される。ここで、コイルスプリング３０は、下部が上記開閉体２４の上縁に突設されたばね座２４ａに係止され、上部が反転ハンドル３１に下方から突設してある筒部３１ａ内に収められ、反転ハンドル３１の回動に応じて開閉体２４を反転駆動するものである。
【００２６】
反転ハンドル３１はカバー５ａの前面に設けられた凹部５１の底面に開口した孔５２を通して下方から凹部５１内に挿入され、筒部３１ａの両側に設けた逆三角形状の軸３１ｂをカバー５ｂの内壁に形成された軸受け５０に枢支して回動自在に取り付けられ、上部の両端にスライドカム３３に掛合する掛合突起３４を突設してある。
【００２７】
押釦ハンドル３２はカバー５ａの凹部５１の両側内壁面に形成された上下方向の係止溝３５に係止突起３６，３６を係止して上下動自在に凹部５１内に収納されており、平片３７ｂから下向きに開拡した２つの復帰ばね片３７ａ，３７ａを下方に向けて一体延設して構成した復帰ばね３７を平片３７ｂに穿設した孔３７ｄに押釦ハンドル３２の下面に突設した突起３２ｄを挿入することにより、押釦ハンドル３２の下面に取り付け、この復帰ばね３７の復帰ばね片３７ａ，３７ａ先端を凹部５１の底面に弾接することにより上方に常時付勢されている。
【００２８】
スライドカム３３はポリアセタールのような弾性に富む熱可塑性樹脂により略ロ状に成形してあり、対向する側辺部の下面に上記反転ハンドル３１の掛合突起３４に対応させて掛合カム体３８，３８を突設し、更に別の側辺部の中央部に一対のばね片３３ａ, ３３ａを逆ハ状に一体突設し、このばね片３３ａの先端間に押釦ハンドル３２の下面に形成した突起３２ａを被挿することによって、押釦ハンドル３２の下面においてスライドカム３３を摺動自在に装着し且つばね片３３ａの弾性によって反摺動方向への復帰力を与えるようになっている。
【００２９】
押釦スイッチ５Ａの器体のカバー５ａの表面側端部には横向きとなった軸部１９２が所定間隔を開けて２つ一体に突設してある。これらの軸部１９２は上部が横向きの略円柱形状をしている。ピアノハンドル４３は、図９に示すように裏面部の一端部に下開口がはめ込み用開口部となった穴１９１ａと金属製の軸受用ばね体１９１ｂとで構成される軸受部１９１が設けてある。穴１９１ａは内壁の片側に係止穴１９０を設け、穴１９１ａに収納される軸受用ばね体１９１ｂの抜け止め爪１９１ｃを係止して軸受用ばね体１９１ｂを固持している。軸受用ばね体１９１ｂは先端を穴１９１ａ内へ突出するように曲げ形成し、この突出部１９１ｄと穴１９１ａとで軸部１９２を支持するようになっている。
【００３０】
下方に開口した穴１９１ａのはめ込み用開口部は上記突出部１９１ｄとで軸受部１９１の内部よりも幅狭としており、前述の押釦スイッチ５Ａの上部に設けた軸部１９２を弾性的にはめ込んだ場合、軸部１９２と軸受部１９１との枢支結合が外れないようになっている。このように軸部１９２を軸受部１９１に回動自在に嵌め込むことでピアノハンドル４３を回動自在に軸支する軸支部が構成される。なお、ピアノハンドル４３の他端には背方に向けて抜け止め用の抜止片４３ｂを突設してある。抜止片４３ｂが空所１２内に挿入され、ピアノハンドル４３が回動しても抜止片４３ｂの先端が空所１２から抜けないようになっている。
【００３１】
上記のようにピアノハンドル４３が押釦スイッチ５Ａに取付けられるのであるが、ピアノハンドル４３を押圧操作すると、軸受部１９１と軸部１９２との軸支部を中心にしてピアノハンドル４３がピアノタッチ式に回動する。そして、このピアノハンドル４３の回動により押釦スイッチ５Ａの押釦ハンドル３２を押圧操作する。
【００３２】
本参考例における押釦スイッチ５Ａでは、接点部１００の開成時に点灯し且つ閉成時に消灯して位置表示を行う位置表示手段を備えている。図８は、押釦スイッチ５Ａの内部回路を示しており、２つの端子板１５，１８の間に接点部１００と電流トランスＣＴの１次側とが直列に接続され、電流トランスＣＴの２次側に発光ダイオードＬＤとダイオードＤが並列に接続されるとともに、接点部１００及び電流トランスＣＴと並列に表示灯たるネオン管Ｌ及び限流用の抵抗Ｒが接続されている。すなわち、２つの端子板１５，１８の間に電源と負荷が直列接続されている場合、接点部１００の閉成時には電源から端子板１５と、電流トランスＣＴの１次側と、可動接点２９と、固定接点２５と、端子板１８と、負荷との経路で電流が流れ、この電流を電流トランスＣＴで検出して２次側に接続された発光ダイオードＬＤを点灯させる。このとき、ネオン管Ｌには電源が供給されずに消灯する。一方、接点部１００が開成すれば、負荷への電源供給が停止して負荷がオフされ、電流トランスＣＴの１次側に電流が流れなくなって発光ダイオードＬＤが消灯するが、ネオン管Ｌは電源が供給されて点灯する。つまり、接点部１００の閉成状態（負荷のオン状態）で発光ダイオードＬＤが点灯し、接点部１００の開成状態（負荷のオフ状態）で発光ダイオードＬＤが消灯して状態表示が行われるとともに、接点部１００の閉成状態（負荷のオン状態）でネオン管Ｌが消灯し、接点部１００の開成状態（負荷のオフ状態）でネオン管Ｌが点灯して位置表示が行われるのである。
【００３３】
ところで、上記位置表示手段たるネオン管Ｌ及び抵抗Ｒは発光ダイオードＬＤ等とともにプリント基板２６上に実装される。プリント基板２６は図１に示すように階段状に形成されており、上段部２６ａ、中段部２６ｂ並びに下段部２６ｃの各表面に導電パターンが形成されている。また、プリント基板２６の上段部２６ａ及び下段部２６ｃの先端部分には弾性を有する導電板を略へ字状に折曲して成る接触子３９ａ，３９ｂの一端部が導電パターンに対して半田付けされている。ネオン管Ｌは導電パターンに形成されたスルーホールに表面側から挿通したリードを半田付けするとともに上記リードを略コ字形に折曲してプリント基板２６の表面側に実装される。また、発光ダイオードＬＤは略Ｌ字形に折曲された２本のリードを導電パターン上に載置して半田付けされている。なお、チップ型の限流抵抗Ｒ及びダイオードＤは導電パターン上に半田実装される。
【００３４】
さらに、プリント基板２６はカバー５ａの背面側に凹部５１と隣接して設けられた収納凹所５５内に収納されて端子板１８の上部に載置される。而して、カバー５ａとボディ５ｂを結合して器体を組み立てれば、図３及び図７に示すように一方の接触子３９ａの先端部が端子板１５の上面に弾接し、他方の接触子３９ｂの先端部が端子板１８の上面に弾接して、位置表示手段たるネオン管Ｌ及び限流抵抗Ｒが接点部１００と並列に電気的に接続される。また、カバー５ａ前面の軸部１９２，１９２の間の部位には収納凹所５５と連通する透光窓４０が設けてあり、この透光窓４０に透光性を有するランプカバー４１を取り付け、ネオン管Ｌ並びに発光ダイオードＬＤからの光が器体の前面側に照射されるようになっている。なお、本参考例ではネオン管Ｌを表示灯として用いたが、もちろんこれに限定する主旨ではなく、他の表示素子を用いることも可能である。
【００３５】
次に、上記押釦スイッチ５の動作を簡単に説明する。図３の状態は可動接点２９が固定接点２５と接触している状態、すなわち閉成状態である。このときには外部の電源（商用電源）から負荷へと電源供給が行われて負荷がオンし、接点部１００を通して負荷に流れる電流を電流トランスＣＴで検出して発光ダイオードＬＤが点灯しているが、ネオン管Ｌ及び抵抗Ｒには電流がほとんど流れずネオン管Ｌは消灯している。いま、図３の状態で、ピアノハンドル４３（図示は省略する）を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中左側の係合カム体３８が、反転ハンドル３１の左側の掛合突起３４に当たることにより、反転ハンドル３１が回動される。このとき、反転ハンドル３１の回動に伴ってスライドカム３３が図中の左側にスライドする。このようにして反転ハンドル３１が反転回動されると、コイルスプリング３０が反転して開閉体２４が反転し、可動接点２９が固定接点２５から開離して接点部１００が切り離された状態、すなわち開成状態に切り換えられる。このときには外部の電源から負荷への電源供給が停止して負荷がオフし、接点部１００に電流が流れなくなって発光ダイオードＬＤは消灯するが、ネオン管Ｌ及び抵抗Ｒには電流が流れてネオン管Ｌが点灯する。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。このオフ状態から再びピアノハンドル４３を押し下げ操作すると、上記とは逆に反転ハンドル３１が回動して可動接点２９が固定接点２５に接触し、図３に示す状態に戻って接点部１００が閉成状態となり、発光ダイオードＬＤが点灯するとともにネオン管Ｌが消灯する。
【００３６】
ここで、接続端子収納部１３，１４に収納された各一対の速結端子が端子板１８，２０によって互いに電気的に接続されており、接点部１００の開閉によって接続端子収納部１３に収納された一対の速結端子と接続端子収納部１４に収納された一対の速結端子との導通、非導通が同時に切り換えられるから、片方の速結端子を送り端子とすることができて電源側と負荷側の両方で送り配線が可能となる。
【００３７】
ところで、取付枠２の窓孔２ａ両側の側片には、押釦スイッチ５Ａの係止爪１１，１１が係止される各一対の係止孔２ｂ，２ｂが計３組ずつ設けてあり、窓孔２ａに対して押釦スイッチ５Ａの短幅方向を窓孔２ａの長手方向に一致させて取り付ける場合の３つの取付位置をそれぞれ上端位置、中央位置並びに下端位置と称することにする。さらに、取付枠２に１個モジュール寸法の押釦スイッチ５Ａを１個取り付ける場合において、押釦スイッチ５Ａに取り付けるピアノハンドル４３を１個用のピアノハンドル４３と称し、また、３個モジュール寸法の取付枠２に１個モジュール寸法の押釦スイッチ５Ａを２個取り付ける場合において該２個の押釦スイッチ５Ａにそれぞれ取り付けるピアノハンドル４３を２個用のピアノハンドル４３と称し、また、３個モジュール寸法の取付枠２に１個モジュール寸法の押釦スイッチ５Ａを３個取り付ける場合において該３個の押釦スイッチ５Ａにそれぞれ取り付けるピアノハンドル４３を３個用のピアノハンドル４３と称することにする。
【００３８】
上記３種類のピアノハンドル４３の上下方向（押釦スイッチ５Ａの短幅方向）の寸法は、（１個用のピアノハンドル４３の上下長さ）≒（２個用のピアノハンドル４３の上下長さ）×２≒（３個用のピアノハンドル４３の上下長さ）×３となっている。また、３個用のピアノハンドル４３の上下長さは操作性を良くするため押釦スイッチ５Ａよりも上下方向の長さを長くしてある。
【００３９】
図１１には取付枠２の窓孔２ａの上端、中央及び下端の各取付位置に取り付けられた３個の押釦スイッチ５Ａに各々３個用のピアノハンドル４３を取り付ける場合の例が示してある。図１０に示すようにピアノハンドル４３の一端部の裏面部に設けられる軸受部１９１は、所定間隔の一対の軸部１９２に対応する所定間隔で４つ設けられ、その内の両側の二つの軸受部１９１に対応する軸受用ばね体１９１ｂは一体に連結されている。
【００４０】
そして、図１１に示すように取付枠２の窓孔２ａに上下方向に３個の押釦スイッチ５Ａを並べて取り付けた場合、中央位置の押釦スイッチ５Ａにピアノハンドル４３を取り付ける場合には中央の二つの軸受部１９１に中央位置の押釦スイッチ５Ａの二つの軸部１９２をはめ込んで取り付けるものであり、このことにより中央位置の押釦スイッチ５Ａのセンタと該中央位置の押釦スイッチ５Ａに取り付けるピアノハンドル４３のセンタとが一致するように取り付けられる。また、上端位置の押釦スイッチ５Ａにピアノハンドル４３を取り付ける場合には下側の二つの軸受部１９１に上端位置の押釦スイッチ５Ａの軸部１９２，１９２をはめ込んで取り付けるものであり、このことにより上端位置の押釦スイッチ５Ａのセンタよりも上端位置の押釦スイッチ５Ａに取り付けるピアノハンドル４３のセンタが上にずれて位置するように取り付けられる。また、下端位置の押釦スイッチ５Ａにピアノハンドル４３を取り付ける場合には上側の二つの軸受部１９１，１９１に下端位置の押釦スイッチ５Ａの軸部１９２，１９２を嵌め込んで取り付けるものであり、このことにより下端位置の押釦スイッチ５Ａのセンタよりも下端位置の押釦スイッチ５Ａに取り付けるピアノハンドル４３のセンタが下にずれて位置するように取り付けられる。このようにすることで、３個用のピアノハンドル４３として上端位置用、中央位置用、下端位置用の区別なく共通して使用することができるものである。
【００４１】
ここで取付枠２の上下両側片には壁などに埋込配設された埋込ボックス（図示せず）に取り付けるためのボックスねじを挿通する長孔２ｃと、取付枠２を壁面等の造営面に直付けするためのねじが挿通されるねじ挿通孔２ｄと、造営面を形成する壁パネル等に取り付ける際に使用するはさみ金具（図示せず）を係止するはさみ金具係止孔２ｅと、プレート枠１２０を取り付ける取付ねじ１２３用の取付ねじ孔２ｆとが設けてある。
【００４２】
取付ねじ１２３，１２３によって取付枠２の前面に取り付けられるプレート枠１２０は、合成樹脂により矩形枠状に形成され、上下両側片に上記取付ねじが挿通されるねじ挿通孔１２１，１２１が設けてある。また、プレート枠１２０の四隅には化粧プレート１３０の係止片（図示せず）が挿入係止される係止部１２２が各々一対ずつ設けてある。つまり、プレート枠１２０と化粧プレート１３０とでプレートが構成される。
【００４３】
化粧プレート１３０は合成樹脂により矩形枠状に形成されており、図１１に示すように中央部の開口１３０ａからピアノハンドル４３を前方に露出するようにして、四隅の背面側に突設された上記係止片をプレート枠１２０の係止部１２２に着脱自在に挿入係止することでプレート枠１２０の前面に着脱自在に取り付けられる。
【００４４】
ここで、上記３個用のピアノハンドル４３を用いたものにおいて、押釦スイッチ５Ａに設けたネオン管Ｌ及び発光ダイオードＬＤからの光をピアノハンドル４３に設けた表示部１１３に導光して位置表示並びに状態表示するに当たって、３個用のピアノハンドル４３にはネオン管Ｌ及び発光ダイオードＬＤの光を表示部１１３に導光するためのプリズム２００が設けてある。本参考例においては、プリズム２００は図１０に示すように、出射面２０１が三角波状をした凹凸形状となっている。凹凸形状となった出射面２０１の背方側から上下両側方に向けて側方突出プリズム部２０７が設けてあり、この側方突出プリズム部２０７は背面部に取付枠２の上端位置に取り付けられた押釦スイッチ５Ａ又は下端位置に取り付けられた押釦スイッチ５Ａからの光を入射する入射面２０３を設け、入射面２０３から内部に入った光を側方突出プリズム部２０７内の第１の反射面と、第２の反射面で反射させて出射面２０１から出射させようになっている。また凹凸形状の出射面２０１の背方には取付枠２の中央位置に取り付けられた押釦スイッチ５Ａからの光が入射する凹部からなる入射面２０２を設けてあり、この入射面２０２の凹部の両側内壁面が傾斜して出射面２０１の背方に一端が至って非対称となっており、その傾斜面がプリズム２００内に導光された光の第２の反射面となっている。
【００４５】
上記の構成のプリズム２００は３個用のピアノハンドル４３の背面側に出射面２０１が３個用のピアノハンドル４３に設けた表示部１１３に対向するように熱着等により取付けてある。ここで、本参考例の表示部１１３は光透過性樹脂により形成され、ピアノハンドル４３に裏面から表面に開口し、プリズム２００の出射面２０１部位を臨ませた開口部４３ａにピアノハンドル４３の表面側から被着されているもので、中央部にレンズ部１１３ａを形成し、そのレンズ部１１３ａの裏面を下向き傾斜面１１３ｅとし、この下向き傾斜面１１３ｅによりプリズム２００の非対称の第２の反射面２０３と併せて上向き方向の視野角を上げて見や易くしてある。
【００４６】
ここで表示部１１３の構成について詳説すると、表示部１１３は図１０に示すようにレンズ部１１３ａとこのレンズ部１１３ａの周囲の枠状の固定部１１３ｂとからなり、固定部１１３ｂを１次成形し、レンズ部１１３ａを２次成形した２重成形品からなるもので、側方からみると断面が略Ｌ状になっている。そして２重成形によりレンズ部１１３ａと固定部１１３ｂとを異なる色とすることもでき、また本参考例のように固定部１１３ｂの裏面には仮固定用ピン１１３ｃと、超音波熱着に用いるＥＤ（突出部）１１３ｄを形成することができるのである。
【００４７】
而して、ピアノハンドル４３の開口部４３ａに表示部１１３を前方から嵌め込み固定部１１３ｂの周縁を開口部４３ａの内周に形成せる段部４３ｂ上に載置するとともに、裏面の仮固定用ピン１１３ｃを開口部４３ａの段部４３ｂに形成した挿通用孔４３ｃ（前後、側面が開口している）に挿入してピアノハンドル４３に表示部１１３を固定した後、超音波熱着ホーンを押し当て、超音波のエネルギによりＥＤ１１３ｃを溶融させ段部４３ｂに熱着固定するのである。
【００４８】
而して、取付枠２の中央位置の押釦スイッチ５Ａに取り付けた３個用のピアノハンドル４３においては、入射面２０２が当該押釦スイッチ５Ａの透光窓４０に対向し、また、上端位置の押釦スイッチ５Ａに取り付けられた３個用のピアノハンドル４３においては下側の側方突出プリズム部２０７の入射面２０３が当該押釦スイッチ５Ａの透光窓４０に対向し、また、下端位置の押釦スイッチ５Ａに取り付けられた３個用のピアノハンドル４３においては上側の側方突出プリズム部２０７の入射面２０３が当該押釦スイッチ５Ａの透光窓４０に対向するものである。
【００４９】
そして、上端位置あるいは下端位置の押釦スイッチ５Ａの透光窓４０から出射された光は、入射面２０３から側方プリズム部２０７に入射し、側方突出プリズム部２０７内で反射して凹凸形状の出射面２０１から表示部１１３に向けて出射するのである。また、中央位置の押釦スイッチ５Ａの透光窓４０から出射された光は入射面２０２から入射し、凹凸形状の出射面２０１から表示部１１３に向けて出射するのである。この場合、出射面２０１を三角波状の凹凸形状とすることで、出射面２０１から出射する光の出射を偏りを無くしてほぼ同じ方向にすることができる。そして下端位置の押釦スイッチ５Ａの透光窓４０から出た光は対応するプリズム２００の非対称の第２の反射面２０３と、表示部１１３のレンズ部１１３ａの入射面である下向き傾斜面１１３ｅとで上向き方向の視野角が上げられ上方向からの視認性が良くなっているため、良く見えることになる。
【００５０】
勿論反射面２０３の形状のみでも上向き方向の視野角を上げることができるから、表示部１１３のレンズ部１１３ａの入射面を下向き傾斜面としなくても良い。また逆に表示部１１３のレンズ部１１３ａの入射面を下向き傾斜面１１３ｃとすることで上向き方向の視野角を上げることができるから、プリズム２００側の反射面２０３を非対称としなくても良い。
【００５１】
ところで上記参考例においては、制御対象の負荷（例えば、「換気扇」等）あるいは制御対象の負荷（一般には照明負荷）の設置場所（例えば、「台所」、「玄関」、「廊下」等）を記したネームカード２５０をピアノハンドル４３に着脱自在に取り付けることができる。図１０に示すようにピアノハンドル４３の表面側に凹平面２５１を設け、該凹平面２５１の底にプレート出し入れ用の窓２５２を設け、この窓２５２にはピアノハンドル４３の裏面側から開閉自在に枢支された扉２５４を設けてあり、また凹平面２５２には少なくも窓２５２に対応して配置されるネームカード２５０が見えるように中央部２５３ａが透明なネームカバー２５３が被着されている。
【００５２】
ここでネームカバー２５３は両側にそれぞれ先端に向けて細くなっている一対の突起２５５を突設し、これに対応するようにピアノハンドル４３の窓２５２の両側に突起２５５を圧入するための圧入用孔２５６を穿設しており、突起２５５を圧入用孔２５６に圧入してネームカバー２５３をピアノハンドル４３に固定するのである。
【００５３】
窓２５２に枢支する扉２５４は、一端の両側に軸体２６４ａ、２６４ｂを突設し、この軸体２６４ａ，２６４ｂを窓２５２の一端部の両側に凹平面２５１側に開口した軸受部２６５ａ，２６５ｂに回動自在に嵌め込んで軸体２６４ａ，２６４ｂを中心に窓２５２を開閉できるようになっている。この場合ネームカバー２５３が上述のように固定されることにより軸受部２６５ａ，２６５ｂに嵌まった軸体２６４ａ，２６４ｂは脱落しないようになっている。
【００５４】
そして扉２５４の他端部の両側には突起２６６が設けられ、この突起２６６は窓２５２の他端部の両側に形成した係合部２６７に圧入係合して閉じた状態を保持するようになっている。而してネームカード２５０を収納する場合には扉２５４をピアノハンドル４３の裏面側から開いて、ネームカード２５０を窓２５２に嵌めてネームカバー２５３の裏面に載せ、この状態で扉２５を閉じれば扉２５４とネームカバー２５３との間に挟持され、ネームカバー２５３の中央部２５３ａより表側からネームカード２５０の文字、数字、記号が視認できることとなる。
【００５５】
図１５及び図１６には取付枠２の窓孔２ａの上端位置及び下端位置に取り付けられた２個の押釦スイッチ５Ａ，５Ａに各々２個用のピアノハンドル４３を取り付ける場合の例が示してあり、同じく図１７及び図１８には取付枠２の窓孔２ａの中央位置に取り付けられた１個の押釦スイッチ５Ａに１個用のピアノハンドル４３を取り付ける場合の例が示してある。何れもピアノハンドル４３の一端部の裏面部に設けられる軸受部１９１は、所定間隔の一対の軸部１９２に対応する所定間隔で２つ設けられている。
【００５６】
そして、取付枠２の上下端位置に２個の押釦スイッチ５Ａ，５Ａを取り付けた場合、上端位置及び下端位置の両押釦スイッチ５Ａ，５Ａにそれぞれ２個用のピアノハンドル４３，４３を取り付ける場合には２つの軸受部１９１に押釦スイッチ５Ａの２つの軸部１９２を嵌め込んで取り付けるものであり、このことにより上下端位置の各押釦スイッチ５Ａのセンタと各押釦スイッチ５Ａ，５Ａに取り付ける２個用のピアノハンドル４３，４３のセンタとが一致するように取り付けられる。その結果、２個用のピアノハンドル４３においても上端位置用と下端位置用の区別なく共通して同じものが使用できる。また１個用のピアノハンドル４３の場合も、２つの軸受部１９１に押釦スイッチ５Ａの２つの軸部１９２を嵌め込んで取り付け、押釦スイッチ５Ａのセンタと１個用のピアノハンドル４３のセンタとが一致するように取り付けられる。
【００５７】
また、上述のように２個用及び１個用のピアノハンドル４３は押釦スイッチ５Ａと互いのセンタが一致するように取り付けられるから、３個用のピアノハンドル４３のようにネオン管Ｌ及び発光ダイオードＬＤの光を表示部１１３に導くためにプリズム２００を設ける必要が無い。そこで、図１３に示す２個用のピアノハンドル４３並びに図１４に示す１個用のピアノハンドル４３においては、プリズム２００の代わりにレンズ１７０が開口部４３ａに臨ませて熱着等により固定されており、開口部４３ａに前方からはめ込まれた表示部１１３を通してネオン管Ｌ及び発光ダイオードＬＤの光がピアノハンドル４３の前方へ照射されるようになっている。
【００５８】
（参考例２）
図１９〜図２１を参照して本発明に関連した参考例２を説明する。但し、本参考例におけるピアノハンドル４３、取付枠２、プレート枠１２０並びに化粧プレート１３０は参考例１と同一であるから図示及び説明を省略し、また、本参考例における押釦スイッチ５Ａについても基本構成が参考例１のものと共通するので、共通する部分については同一の符号を付して説明を省略する。
【００５９】
本参考例はネオン管Ｌや発光ダイオードＬＤ等が実装されるプリント基板２６の代わりに一対の接触子３９ａ，３９ｂがインサート成形されるとともにネオン管Ｌと、限流抵抗Ｒと、発光ダイオードＬＤと、ダイオードＤとが実装される成形体６０を備えた点に特徴がある。この成形体６０は、図１９に示すように絶縁性を有する合成樹脂により平面視略Ｆ字形に形成され、複数本の導電板がインサート成形されている。ここで成形体６０の端部の脚片６０ａの先端より突出させた導電板の一部を略へ字形に折曲して接触子３９ａとし、成形体６０の他端部から突出させた導電板の一端部を略へ字形に折曲して接触子３９ｂとし、成形体６０の側面より突出させた２本の導電板の端部を、ネオン管Ｌのリードをかしめて接続する略Ｕ字形のかしめ部６０ｂ，６０ｂとしている。
【００６０】
而して、導電板のかしめ部６０ｂ，６０ｂにネオン管Ｌのリードをかしめ固定した後、図２０及び図２１に示すように導電板の端部及びネオン管Ｌのリードを曲げ起こすことでネオン管Ｌを成形体６０上に配置して、カバー５ａの収納凹所５５に収納できるようにしてある。また、電流トランスＣＴの２次側のリードＬ３，Ｌ４が成形体６０の導電板に接続される。
【００６１】
つまり、参考例１のようにプリント基板２６に半田付けされたネオン管Ｌのリードを折曲すると半田部分に応力がかかって導通不良等の不具合が生じる虞があるが、上述のように成形体６０にインサート成形された導電板にリードをかしめ固定し、導電板を折曲するようにしていることでリードに余分な応力がかかることがなくなるという利点がある。しかも、ネオン管Ｌをプリント基板２６に半田実装する場合に比較して、製造時の作業効率を向上させることができる。
【００６２】
（参考例３）
本参考例におけるピアノハンドル４３、取付枠２、プレート枠１２０並びに化粧プレート１３０は参考例１と同一であるから図示及び説明を省略し、また、本参考例における押釦スイッチ５Ａについても基本構成が参考例１及び参考例２のものと共通するので、共通する部分については同一の符号を付して図示並びに説明を省略する。
【００６３】
本参考例は、図２２に示すように参考例２と同一形状に形成された成形体６０の一方の脚片６０ａの先端より突出させた導電板の一端部を固定片６０ｃとし、この固定片６０ｃに接触子３９ａの端部をかしめ固定している点に特徴がある。固定片６０ｃは導電板の他の部位よりも幅広に形成されている。また、接触子３９ａは帯板状の導電部材を略へ字形に折曲して成り、後端部に略コ字形のかしめ部３９ｃが形成してある。
【００６４】
而して、成形体６０の固定片６０ｃにかしめ部３９ｃをかしめ固定することによって接触子３９ａが成形体６０に取り付けられる。ここで、固定片６０ｃの寸法は参考例２における接触子３９ａの寸法に比較して十分に短いものであるから、本参考例では参考例２に比較して導電板の板取りの効率が良くなり、材料費を削減することができるという利点がある。
【００６５】
（参考例４）
本参考例におけるピアノハンドル４３、取付枠２、プレート枠１２０並びに化粧プレート１３０は参考例１と同一であるから図示及び説明を省略し、また、本参考例における押釦スイッチ５Ａについても基本構成が参考例１及び参考例２のものと共通するので、共通する部分については同一の符号を付して図示並びに説明を省略する。
【００６６】
本参考例は、図２３に示すように参考例２と同一形状に形成された成形体６０の一方の脚片６０ａの先端より突出させた導電板の一部を弾接片６０ｄとし、端子板１５にレーザ溶接された接触子６５の先端部を弾接片６０ｄに弾接するようにした点に特徴がある。弾接片６０ｄは導電板の他の部位よりも幅広に形成されている。また、接触子６５は帯板状の導電部材により略Ｌ字形の主片６５ａと、主片６５ａの端部より突出し略へ字形に折曲された接触片６５ｂとが一体に形成されている。
【００６７】
接触片６５ｂが端子板１５の支持片１５ａと略同じ方向、すなわちボディ５ｂの中央収納部２３の方向へ突出するように端子板１５の上面に接触子６５の主片６５ａがレーザ溶接によって接合される。
【００６８】
而して、収納凹所５５に成形体６０が収納されたカバー５ａをボディ５ｂに結合して器体を組み立てれば、接触子６５の接触片６５ｂの先端部が弾接片６０ｄに弾接する。
【００６９】
（実施形態）
本実施形態におけるピアノハンドル４３、取付枠２、プレート枠１２０並びに化粧プレート１３０は参考例１と同一であるから図示及び説明を省略し、本実施形態の特徴となる押釦スイッチ５Ｂについて図２４〜図２９を参照して説明する。但し、本実施形態における押釦スイッチ５Ｂの基本構成は参考例１の押釦スイッチ５Ａと共通するので、共通する部分については同一の符号を付して説明を省略する。
【００７０】
図２４に示すようにボディ５ｂの端部に形成された接続端子収納部１４には端子板１８及び鎖錠ばね１９1からなる第１の速結端子部と、端子板２０及び鎖錠ばね１９2からなる第２の速結端子部とが収納され、これら第１及び第２の速結端子部は同じく接続端子収納部１４に収納される解除釦２１によって電線との接続状態が共通に解除できるようになっている。
【００７１】
端子板１８には固定接点２５ａが固着された延設片１８ａを形成してあり、この延設片１８ａを中央収納部２３側に延出してある。また、端子板２０にも固定接点２５ｂが固着された折曲片２０ａを形成してあり、この折曲片２０ａは上記端子板１８の延設片１８ａに対向させる形で中央収納部２３側に延出してある。上記固定接点２５ａ，２５ｂの間に回動自在に配置される開閉体２４の上部両面に可動接点２９が設けてある。つまり、可動接点２９を開閉体２４の回動に応じて固定接点２５ａ，２５ｂと択一的に接離して、端子板（共通端子板）１５と２つの端子板１８，２０との間の接続，切離を行う。つまり、一対の固定接点２５ａ，２５ｂと可動接点２９とで単極切換型の接点部１００’が構成してある。
【００７２】
ここで、図２７に示すようにボディ５ｂの接続端子収納部１４の底部にはボディ５ｂ底面に開口し且つ接続端子収納部１４の端子板１８及び鎖錠ばね１９1（第１の速結端子部）が収納されている部位と連通する電線挿入口１４ａが設けてある。つまり、本実施形態における押釦スイッチ５Ｂのボディ５ｂは、参考例１における押釦スイッチ５Ａのボディ５ｂに設けられている２つの電線挿入口１４ａ，１４ａの一方を埋めてしまったような構造を有しているので、端子板２０及び鎖錠ばね１９2からなる第２の速結端子部に負荷を接続することはできず、構造的には単極切換型でありながら実質的には片切の押釦スイッチとなっている。
【００７３】
次に、上記押釦スイッチ５Ｂの動作を簡単に説明する。ここで、電源及び負荷は共通端子板１５と一方の端子板１８の間に直列に接続されているものとする。図２６の状態は固定接点２５ａに可動接点２９が接している状態である。このときには外部の電源（商用電源）から負荷へと電源供給が行われて負荷がオンし、接点部１００’を通して負荷に流れる電流を電流トランスＣＴで検出して発光ダイオードＬＤが点灯しているが、ネオン管Ｌ及び抵抗Ｒには電流がほとんど流れずネオン管Ｌは消灯している。いま、図２６の状態で、ピアノハンドル４３を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中左側の係合カム体３８が、反転ハンドル３１の左側の掛合突起３４に当たることにより、反転ハンドル３１が回動される。このとき、反転ハンドル３１の回動に伴ってスライドカム３３が図中の左側にスライドする。このようにして反転ハンドル３１が反転回動されると、コイルスプリングが反転して開閉体２４が反転し、可動接点２９が固定接点２５ａから離れて反対側の固定接点２５ｂと接触して接点部１００’が切り換えられる。このときには外部の電源から負荷への電源供給が停止して負荷がオフし、接点部１００’に電流が流れなくなって発光ダイオードＬＤは消灯するが、ネオン管Ｌ及び抵抗Ｒには電流が流れてネオン管Ｌが点灯する。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。このオフ状態から再びピアノハンドル４３を押し下げ操作すると、上記とは逆に反転ハンドル３１が回動して可動接点２９が固定接点２５ｂから離れて固定接点２５ａと接触し、図２６に示す状態に戻って接点部１００’が切り換えられ、発光ダイオードＬＤが点灯するとともにネオン管Ｌが消灯する。
【００７４】
すなわち、本実施形態における押釦スイッチ５Ｂは、電線挿入口１４ａが一つしか設けられていないボディ５ｂを除き、その他の全ての部品に３路タイプの押釦スイッチの部品と同一の部品を使用することができる。従って、３路タイプの押釦スイッチの部品をほとんどそのまま流用して片切の押釦スイッチ５Ｂを製造することができるために製造コストの大幅な削減が図れるものである。
【００７５】
なお、電線との接続が不可能である第２の速結端子部は実質的に不要であるので、図３０〜図３３に示すように第２の速結端子部を構成する端子板２０及び鎖錠ばね１９2を削除することができ、これによってさらなるコストダウンが図れる。
【００７６】
【発明の効果】
請求項１の発明は、長手方向に３個の器具取付手段を備えた細長の器具取付用の窓孔を有する取付枠と、短幅方向の外形寸法が上記窓孔の長手方向の略３分の１に形成され、取付枠の中央部の上記器具取付手段に取付けられる押釦スイッチの器体と、窓孔に対向し長手方向の寸法が上記窓孔より細長の開口を有するプレートと、このプレートの開口の略全部を閉塞する大きさに形成され、中央を上記器体の中央に対向させて上記プレートの開口内に配置される１個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは一端部が回動自在に押釦スイッチの外部で枢支されて裏面を押釦ハンドルの頭部に当接させて成るので、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、１個の押釦スイッチの器体が取付枠の中央部の器具取付手段に取り付けられ、プレートの開口内に配置される１個のピアノハンドルの中央を器体の中央に対向させているから、２個用、３個用と同じ共通仕様の取付枠、プレート、押釦スイッチを使用することができるものであるにもかかわらず、１個の押釦スイッチを取付枠の中央にバランス良く配設するとともに１個の大きな形状のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【００７７】
請求項２の発明は、長手方向に３個の器具取付手段を備えた細長の器具取付用の窓孔を有する取付枠と、短幅方向の外形寸法が上記窓孔の長手方向の略３分の１に形成され、中間に隙間を存在させて上記取付枠の上端及び下端側の上記器具取付手段に取付けられる２個の押釦スイッチの器体と、窓孔に対向し長手方向の寸法が上記窓孔より細長の開口を有するプレートと、各々上記プレートの開口を２分する大きさに形成され、各々の中央を上記器体の中央に対向させて上記プレートの開口内に配置される２個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成され、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成るので、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、２個の押釦スイッチの各器体を中間に隙間を存在させて取付枠の上端側及び下端側に取り付け、各々プレートの開口を２分する大きさに形成された２個のピアノハンドルの各々の中央を２個の器体の中央にそれぞれ対向させてプレートの開口内に配置しているから、２個の押釦スイッチを取付枠の上下にバランス良く配設するとともに２個のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【００７８】
請求項３の発明は、長手方向に３個の器具取付手段を備えた細長の器具取付用の窓孔を有する取付枠と、短幅方向の外形寸法が上記窓孔の長手方向の略３分の１に形成され、上記取付枠の上端、中央及び下端側の上記器具取付手段に取付けられる３個の押釦スイッチの器体と、窓孔に対向し長手方向の寸法が上記窓孔より細長の開口を有するプレートと、各々同一外形で上記プレートの開口の長手方向に沿う方向の寸法が開口の長手方向の略３分の１の寸法で、開口の短幅方向に沿う方向の寸法が開口の短幅方向と略同じ寸法に形成され各々の中央を器体の中央に対向させて上記プレートの開口内に配置される３個のピアノハンドルと、押釦スイッチの位置表示を行う位置表示手段と、接点部の開閉状態を表示する状態表示手段とを備え、上記器体は両端部に各一対の速結端子を収納した収納部を、中央部に接点部と接点部を開閉する開閉体とで構成された開閉機構を収納した収納部を備えたボディと、このボディの開口部に被着したカバーとで構成し、押釦スイッチが共通接点及び一対の切換接点を有する上記接点部と、器体内に回動自在に支持されて上記接点部の共通接点を一対の切換接点に択一的に切り換えて開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを具備し、上記一対の切換接点を一方の収納部に収納した一対の速結端子と各別に電気的に接続するとともにこれら一対の速結端子の何れか一方に接続される電線が挿入される電線挿入口を一方の速結端子についてのみ上記ボディに設け、ピアノハンドルは回動自在に一端部が押釦スイッチの外部で枢支されて裏面を押釦ハンドルの頭部に当接させて成るので、ピアノハンドルが配置されるプレートの開口が窓孔に対向し長手方向の寸法が窓孔の長手方向の外形寸法より大きいので、操作部材であるピアノハンドルの面積が押釦スイッチよりも大きくでき、この押釦スイッチよりも大きいことによる操作性の向上と、ピアノタッチの操作による操作性の向上とが相まって操作性が良くなる。また、状態表示手段によって接点部の開閉状態を知ることができ、しかも接点部の開閉状態に基づいて負荷の動作状態を容易に知ることができる。さらに、周囲が暗い場合でも位置表示手段によって容易に位置を知ることができる。さらにまた、取付枠の中央部に細長で長手方向に３個の器具取付手段を有する細長の器具取付用の窓孔を設け、器具取付手段に取り付けられる押釦スイッチの器体の短幅方向の外形寸法を窓孔の長手方向の略３分の１に形成し、プレートの開口の長手方向の寸法を窓孔の長手方向の外形寸法より大きく設定してあるので、押釦スイッチを１個用いるものも２個用いるものも３個用いるものも、共通仕様の器具取付手段を有する取付枠、プレート、押釦スイッチを使用できて部品の共通化が図れることになる。また、３個の押釦スイッチの器体を取付枠の上端、中央及び下端に取り付け、各々同一外形でプレートの開口の長手方向に沿う方向が開口の長手方向の略３分の１の寸法で、開口の短幅方向に沿う方向が開口の短幅方向と略同じ寸法に形成された３個のピアノハンドルの各々の中央を３個の各器体の中央に対向させてプレートの開口内に配置しているから、３個の押釦スイッチを取付枠の上端、中央及び下端にバランス良く配設するとともに３個のピアノハンドルを安定して配設できる。しかも、器体が両端部に各一対の速結端子を収納した収納部と中央に開閉機構を収納した収納部を備えたボディと、このボディの開口部に被着したカバーとで構成してあることで、速結端子、開閉機構をそれぞれ別々の収納部にバランス良く配置し、さらに、速結端子を構成する部品、開閉機構を構成する部品をボディの開口部からそれぞれ独立した収納部内に組み込むことができて、組み込みが簡略化できるものである。しかも、ボディに設けた電線挿入口を２つある切換接点のうちの一方の切換接点に電気的に接続された速結端子のみに対応させているので、３路スイッチ装置とほとんどの部品を共用することができて製造コストの削減が図れるとともに負荷の接続に迷うことが無いものである。
【００７９】
請求項４の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、これら接触子、表示灯並びに抵抗体が実装される回路基板とを具備して成り、上記状態表示手段は、上記器体内に収納されて接点部に流れる電流を検出する電流検出手段と、該電流検出手段の出力に基づいて発光する発光素子と、発光素子が実装されて上記器体内に収納される上記回路基板とを具備して成り、器体前面に設けた透光窓を通して上記表示灯及び発光素子の光を外部へ導いて位置表示並びに状態表示を行う表示部を上記ピアノハンドルに設けたので、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【００８０】
請求項５の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたので、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。しかも、接触子を成形体にインサート成形しているため、回路基板に接触子を実装する場合に比較して製造時の作業効率を向上させることができる。
【００８１】
請求項６の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、先端部に接触子の基部をかしめ固定する固定片がインサート成形されるとともに上記表示灯並びに抵抗体が実装される成形体とを具備して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたので、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【００８２】
請求項７の発明は、請求項１又は２又は３の発明において、上記位置表示手段は、上記器体両端部の速結端子に各々電気的に接続する一対の接触子と、該接触子間に流れる電流で点灯する表示灯と、該表示灯に流れる電流を制限する抵抗体と、接触子がインサート成形されるとともに上記表示灯並びに抵抗体が実装される成形体とを具備し、上記接触子の少なくとも一方の端部を速結端子の端子板にレーザ溶接して成り、上記状態表示手段は、上記器体内に収納されて接点部に流れる電流を検出する電流検出手段と、該電流検出手段の出力に基づいて発光する発光素子と、少なくとも上記電流検出手段の出力端と発光素子とを接続する導電路がインサート成形された上記成形体とを具備して成り、器体前面に設けた透光窓を通して上記表示灯及び発光素子の光を外部へ導いて位置表示並びに状態表示を行う表示部を上記ピアノハンドルに設けたので、接点部の開成状態においては速結端子に接続された電源及び負荷を通じて一対の接触子間に電流が流れるために表示灯が点灯しピアノハンドルの表示部から外部へ光が照射されるため、例えば照明負荷が消灯して周囲が暗い場合でも上記光によってスイッチ装置の位置が容易に知り得る。また、接点部が閉成状態のときには接点部を通して負荷に流れる電流を電流検出手段で検出して発光素子を発光させ、ピアノハンドルに設けた表示部から光を照射して負荷がオン状態であることを表示し、接点部が開成状態のときには接点部に電流が流れないから発光素子が発光せず負荷がオフ状態であることが判る。
【図面の簡単な説明】
【図１】  参考例１における押釦スイッチの分解斜視図である。
【図２】  同上における押釦スイッチの側面図である。
【図３】  同上における押釦スイッチの側面断面図である。
【図４】  同上における押釦スイッチの背面図である。
【図５】  同上における押釦スイッチの側面図である。
【図６】  同上における押釦スイッチのカバーを取り外した状態の正面図である。
【図７】  同上における押釦スイッチのカバーを取り外した状態の正面図である。
【図８】  同上における押釦スイッチの内部回路図である。
【図９】  同上のピアノハンドルと押釦スイッチの枢支部の説明図である。
【図１０】  同上における押釦スイッチおよび３個用のピアノハンドルの分解斜視図である。
【図１１】  同上の押釦スイッチ、３個用のピアノハンドル、取付枠及びプレートの分解斜視図である。
【図１２】  同上における押釦スイッチが３個の場合の３個用のピアノハンドルと押釦スイッチの分解平面図である。
【図１３】  同上における押釦スイッチおよび２個用のピアノハンドルの分解斜視図である。
【図１４】  同上における押釦スイッチおよび１個用のピアノハンドルの分解斜視図である。
【図１５】  同上の押釦スイッチ、２個用のピアノハンドル、取付枠及びプレートの分解斜視図である。
【図１６】  同上における押釦スイッチが２個の場合の２個用のピアノハンドルと押釦スイッチの分解平面図である。
【図１７】  同上の押釦スイッチ、１個用のピアノハンドル、取付枠及びプレートの分解斜視図である。
【図１８】  同上における押釦スイッチが１個の場合の１個用のピアノハンドルと押釦スイッチの分解平面図である。
【図１９】  参考例２における押釦スイッチの分解斜視図である。
【図２０】  同上における押釦スイッチの側面断面図である。
【図２１】  同上における押釦スイッチのカバーを取り外した状態の正面図である。
【図２２】  参考例３における押釦スイッチの要部分解斜視図である。
【図２３】  参考例４における押釦スイッチの要部分解斜視図である。
【図２４】  実施形態における押釦スイッチの分解斜視図である。
【図２５】  同上における押釦スイッチの側面図である。
【図２６】  同上における押釦スイッチの側面断面図である。
【図２７】  同上における押釦スイッチの背面図である。
【図２８】  同上における押釦スイッチのカバーを取り外した状態の正面図である。
【図２９】  同上における押釦スイッチのカバーを取り外した状態の正面図である。
【図３０】  同上における押釦スイッチの他の構成を示す分解斜視図である。
【図３１】  同上の押釦スイッチの側面断面図である。
【図３２】  同上の押釦スイッチのカバーを取り外した状態の正面図である。
【図３３】  同上の押釦スイッチのカバーを取り外した状態の正面図である。
【符号の説明】
２  取付枠
５ａ  ボディ
５ｂ  カバー
２４  開閉体
２５  固定接点
２６  プリント基板
２９  可動接点
３２  押釦ハンドル
４３  ピアノハンドル
Ｌ  ネオン管
Ｒ  抵抗
ＬＤ  発光ダイオード
ＣＴ  電流トランス
【図１】
0003788151.tif 000002
【図２】
0003788151.tif 000003
【図３】
0003788151.tif 000004
【図４】
0003788151.tif 000005
【図５】
0003788151.tif 000006
【図６】
0003788151.tif 000007
【図７】
0003788151.tif 000008
【図８】
0003788151.tif 000009
【図９】
0003788151.tif 000010
【図１０】
0003788151.tif 000011
【図１１】
0003788151.tif 000012
【図１２】
0003788151.tif 000013
【図１３】
0003788151.tif 000014
【図１４】
0003788151.tif 000015
【図１５】
0003788151.tif 000016
【図１６】
0003788151.tif 000017
【図１７】
0003788151.tif 000018
【図１８】
0003788151.tif 000019
【図１９】
0003788151.tif 000020
【図２０】
0003788151.tif 000021
【図２１】
0003788151.tif 000022
【図２２】
0003788151.tif 000023
【図２３】
0003788151.tif 000024
【図２４】
0003788151.tif 000025
【図２５】
0003788151.tif 000026
【図２６】
0003788151.tif 000027
【図２７】
0003788151.tif 000028
【図２８】
0003788151.tif 000029
【図２９】
0003788151.tif 000030
【図３０】
0003788151.tif 000031
【図３１】
0003788151.tif 000032
【図３２】
0003788151.tif 000033
【図３３】
0003788151.tif 000034